【手続補正書】
【提出日】平成15年2月21日(2003.2.21)
【手続補正１】
【補正対象書類名】明細書
【補正対象項目名】特許請求の範囲
【補正方法】変更
【補正の内容】
【特許請求の範囲】
【請求項１】
熱源と接し、熱源から熱を伝達されて外部に放出するヒートシンクにおいて、
前記ヒートシンクは、熱源から熱を伝達されて熱源の表面に垂直に位置する吸熱部と、前記吸熱部から側部に延び、吸熱部の熱を伝達されて外部に放出する放熱部を有するシート状の放熱板を多数枚重畳して構成し、前記吸熱部は締結されて中央部を形成し、前記放熱部は前記中央部を中心に放射状に広がって全体的に楕円円筒状を有することを特徴とするヒートシンク。
【請求項２】
前記吸熱部は一定幅及び高さを有するシート状を有し、前記放熱部は前記吸熱部の一側部に位置し、相互隣接する放熱板の各放熱部は吸熱部を介在して反対側に位置し、各吸熱部の垂直エッジ部には放熱板を重畳した状態で吸熱部を密着させて締結することによって放熱部が押されて放射状に広がるように放熱板間に厚さを提供する折畳部を備えることを特徴とする請求項１に記載のヒートシンク。
【請求項３】
前記吸熱部は一定幅及び高さを有するシート状であり、前記放熱部は吸熱部の両側に対称的に備えられ、相互隣接する吸熱部の間には吸熱部にほぼ対応する面積を有して両側エッジ部が折畳された折畳部を有するスペーサが備えられ、吸熱部を相互密着させるによって両側の放熱部が前記折畳部に押されて放射状に広がるように構成されたことを特徴とする請求項１に記載のヒートシンク。
【請求項４】
熱源から熱を伝達され、熱源の表面に垂直に位置する吸熱部と、前記吸熱部から側部に延び、吸熱部の熱を伝達されて外部に放出する放熱部を有するシート状の放熱板を多数枚重畳して構成するものであって、前記吸熱部は締結されて中央部を形成し、前記放熱部は前記中央部を中心に放射状に広がって全体的に楕円円筒形をなすヒートシンクと、
前記ヒートシンクに冷却用空気を案内するように前記ヒートシンクを内部に収容し、熱源とその下端間に一定間隔の隙間を有するようにその高さがヒートシンクよりは低い空気ダクトと、
前記空気ダクトの上部に位置し、空気ダクトを通じて空気を流動させてヒートシンクを強制冷却させる冷却ファンと、
を備えることを特徴とするヒートシンク装置。
【請求項５】
前記吸熱部は一定幅及び高さを有するシート状であり、前記放熱部は前記吸熱部の一側部に位置し、相互隣接する放熱板の各放熱部は吸熱部を介在して反対側に位置し、各吸熱部の垂直エッジ部には放熱板を重畳した状態で吸熱部を密着させて締結することによって放熱部が押されて放射状に広がるように放熱板間に厚さを提供する折畳部を備えることを特徴とする請求項４に記載のヒートシンク装置。
【請求項６】
前記吸熱部は一定幅及び高さを有するシート状であり、前記放熱部は吸熱部の両側に対称的に備えられ、相互隣接する吸熱部の間には吸熱部にほぼ対応する面積で両側エッジ部が折畳された折畳部を有するスペーサが備えられ、吸熱部を相互密着させるによって両側の放熱部が前記折畳部に押されて放射状に広がるように構成されたことを特徴とする請求項４に記載のヒートシンク装置。
【請求項７】
前記ヒートシンクは空気ダクト内に固定され、前記空気ダクトには空気ダクトを回路基板上に実装された熱源側に弾性支持してヒートシンクを熱源の上面に弾性的に加圧させる弾性締結手段を備えることを特徴とする請求項４から６のいずれか一項に記載のヒートシンク装置。
【請求項８】
前記空気ダクトの外周面にはその内周面に支持突起が各々形成されている複数の垂直貫通孔がダクトの長手方向に備えられ、
前記弾性締結手段は、両端にナットと支持ヘッドとが形成され、前記ナットが形成された一端部が回路基板を貫通して垂直貫通孔の下部から上部に挿入され、この際、前記支持ヘッドは回路基板の下面に係止される挿入棒と、前記垂直貫通孔の上部から下部に挿入されて垂直貫通孔内で前記ナットと螺合される取付ネジと、前記支持突起にその下端が支持された状態で取付ネジを上方に弾性支持するバネとを有することを特徴とする請求項７に記載のヒートシンク装置。
【請求項９】
前記空気ダクトの外周面にはその内周面に係止突部が各々形成されている複数の垂直貫通孔がダクトの長手方向に備えられ、
前記弾性締結手段は、前記垂直貫通孔を上部から下部に貫通してその端部が垂直貫通孔下部に延びる取付ネジと、前記係止突部にその下端が支持された状態で前記取付ネジを上方に弾性支持するバネと、支持ネジにより回路基板に固定された状態で前記取付ネジと結合する連結部材とを有することを特徴とする請求項７に記載のヒートシンク装置。
【請求項１０】
熱源から熱を伝達さるべくその下端が熱源に接し、垂直上部に延びた吸熱部と、前記吸熱部から側部に延びて吸熱部の熱を伝達されて外部に放出する放熱部を有するシート状の放熱板を多数枚重畳して構成し、前記吸熱部が１対の加圧ブロックにより締結されて中央部を形成し、放熱部は中央部を中心に放射状に広がって全体的に楕円円筒状をなすものであって、
前記各放熱板の上端部は所定形状に切除され、切除された後のエッジラインが放熱部から吸熱部に進められることによって下向き傾斜した形に切除されて上面中央部が全体的に陥没された形を有することを特徴とするヒートシンク。
【請求項１１】
前記各放熱板の放熱部は吸熱部と一体をなし、切除後の放熱板の上端部はそのエッジラインが両側の放熱部から中央の吸熱部側に進むことによって曲線型に下向き傾斜した後、吸熱部に至って上部に上昇する形を取ることを特徴とする請求項１０に記載のヒートシンク。
【請求項１２】
前記各放熱板の放熱部は吸熱部と一体をなし、切除後の放熱板の上端部のエッジラインは両側の放熱部から吸熱部側に進むことによって曲線型に下向き傾斜した後、吸熱部に至って水平に延びて合った形を取ることを特徴とする請求項１０に記載のヒートシンク。
【請求項１３】
印刷回路基板に実装されている発熱部品を取囲み、その縁部には上方に突出された結着支持部が備えられているソケットフレームの上部に装着されるものであって、前記ソケットフレームの各結着支持部に着脱可能な結着部が備えられ、中央には冷却空気が内部流動する空気ダクトが形成されている装着ケーシングと、
前記空気ダクトの内部に設けられ、その下端部は前記発熱部品に当接して発熱部品から生じる熱を外部に放出するヒートシンクと、
前記装着ケーシングに支持され、ヒートシンクを発熱部品側に付勢する付勢手段と、
前記装着ケーシングの上部に設けられ、空気ダクトの内部に冷却空気を流動させる冷却ファンと、
を備えることを特徴とするヒートシンク装置。
【請求項１４】
前記付勢手段は、両端部が装着ケーシングに固定された状態で空気ダクトを横切って延び、その中央部に前記ヒートシンクの上面中央部に下向き加圧力を提供する付勢部を有する板バネであることを特徴とする請求項１３に記載のヒートシンク装置。
【請求項１５】
前記ヒートシンクは、発熱部品から熱を伝達さるべくその下端が前記発熱部品に接して垂直上方に延びた吸熱部と、前記吸熱部から側部に延びて吸熱部の熱を伝達され、外部に放出する放熱部を有するシート状の放熱板を多数枚重畳して構成し、前記吸熱部が１対の加圧ブロックにより締結されて中央部を形成し、前記放熱部は中央部を中心に放射状に広がった形を有するヒートシンクであり、
前記板バネの付勢部は前記ヒートシンクの中央部の上面と接して中央部を下部に付勢することを特徴とする請求項１４に記載のヒートシンク装置。
【請求項１６】
前記各放熱板の上端部は所定形状に切除され、切除後のエッジラインが両側の放熱部から中央の吸熱部に進むことによって流線型に下向き傾斜した後、吸熱部に至って上部に上昇した形を有することを特徴とする請求項１５に記載のヒートシンク装置。
【請求項１７】
前記各放熱板の上端部は所定形状に切除され、切除後のエッジラインが両側の放熱部から中央の吸熱部に進むことによって流線型に下向き傾斜した後、吸熱部に至って水平に延びて互いに合う形を有することを特徴とする請求項１５に記載のヒートシンク装置。
【請求項１８】
前記加圧ブロックは、多数枚重畳されている前記吸熱部を前後より締結するブロックであって、その上端部は前記吸熱部の上端部に対して上部に延び、前記空気ダクトはその内周面に前記各加圧ブロックと一対一対応して加圧ブロックの上端部と同じ高さの上端部を有する支持柱を備えたことを特徴とする請求項１６または１７に記載のヒートシンク装置。
【請求項１９】
前記板バネは一定幅及び厚さを有し、その両端が前記支持柱の上端部に固定された弾性部材であり、前記付勢部はヒートシンクの中央部の上面を押すべく前記板バネの中央部を下部に折り曲げて形成した折曲部であることを特徴とする請求項１８に記載のヒートシンク装置。
【請求項２０】
前記装着ケーシングに対してヒートシンクを弾性支持するために、各加圧ブロックと支持柱とには同一軸線上の孔が形成され、前記板バネの付勢部には板バネの長手方向に沿って延びた長孔が備えられ、
前記各孔には固定ネジが螺合され、前記固定ネジは一側の支持柱及び加圧ブロックの孔を通過した後、吸熱部の上部を経て前記長孔を通過して他側の加圧ブロック及び支持柱の孔を順次に通過することによって装着ケーシングに対するヒートシンクの連結を行うことを特徴とする請求項１８または１９に記載のヒートシンク装置。
【請求項２１】
前記加圧ブロックにより吸熱部が締結される時、放熱部が前記中央部を中心に放射状に押されて広がるように前記放熱部には所定の厚さを有する１つ以上の折畳部が形成されていることを特徴とする請求項１０に記載のヒートシンク。
【請求項２２】
前記加圧ブロックにより吸熱部が締結される時、放熱部が前記中央部を中心に放射状に押されて広がるように前記放熱部には所定の厚さを有する１つ以上の折畳部が形成されていることを特徴とする請求項１５に記載のヒートシンク装置。